(57)【要約】      （修正有） 【課題】少なくとも先端部分がほぼ水平に延びる配管からマニホールドが分離するのを未然に防止することができるようにしたバグフィルター式集塵機を提供する。【解決手段】少なくとも先端部分がほぼ水平に延びる配管３を介して圧縮空気源に連通するマニホールド４からのパルスジェットをバグフィルター５に作用させて堆積ダストの払落しを行うようにしたバグフィルター式集塵機において、配管３の先端部分を、先端とは反対側へ向かって適宜の角度で下がり勾配状に傾斜した形状に構成し、マニホールド4における配管3との連結側である一端に、配管3との連結側である一端部分が先端へ向かって配管3の先端部分とほぼ対向する角度で下がり勾配状に傾斜した形状を成しかつ配管３の先端部分を挿入可能な内径を有する管状部品6を、一体的に設けたことを特徴とする。【選択図】図１
2006305400.tif 000002
【特許請求の範囲】
【請求項１】
少なくとも先端部分がほぼ水平に延びる配管を介して圧縮空気源に連通するマニホールドからのパルスジェットをバグフィルターに作用させて堆積ダストの払落しを行うようにしたバグフィルター式集塵機において、
前記配管の先端部分を、先端とは反対側へ向かって適宜の角度で下がり勾配状に傾斜した形状に構成し、
前記マニホールドにおける前記配管との連結側である一端に、配管との連結側である一端部分が先端へ向かって配管の先端部分とほぼ対向する角度で下がり勾配状に傾斜した形状を成しかつ前記配管の先端部分を挿入可能な内径を有する管状部品を、一体的に設けたことを特徴とするバグフィルター式集塵機。  
【請求項２】
請求項1に記載のバグフィルター式集塵機において、
前記配管および前記管状部品の各先端部を、適宜の長さで垂直方向に切断して除去したことを特徴とするバグフィルター式集塵機。
【発明の詳細な説明】
【技術分野】
【０００１】
本発明は、バグフィルター式集塵機の改良に関する。
【背景技術】
【０００２】
従来、バグフィルター式集塵機には、圧縮空気源に電磁開閉弁およびＬ字状配管を介して連通するマニホールドからのパルスジェットをバグフィルターに作用させて堆積ダストの払落しを行うようにしたがある。
そして、このバグフィルター式集塵機においは、Ｌ字状配管とマニホールドの連通・連結は、適宜の長さの管状のジョイントに、Ｌ字状配管とマニホールドの先端部分をそれぞれ挿入するとともに、ジョイントに貫通して螺着した固定ボルトの先端をＬ字状配管に押し付けるようにしてジョイントをＬ字状配管に固定するようにしていた。
【非特許文献１】日本粉体工業協会編「バクフィルターハンドブック」（昭52.2.10）、（株）産業技術センター、Ｐ.183〜184、
【発明の開示】
【発明が解決しようとする課題】
【０００３】
しかし、このように構成された従来のバグフィルター式集塵機では、パルスジェットにより、Ｌ字状配管、マニホールド、ジョイント等が振動して固定ボルトが緩んだり折れたりし、これに伴って、ジョイントが移動してＬ字状配管から外れ、その結果、マニホールドがＬ字状配管から分離するなどの問題があった。
【０００４】
本発明は、上記の問題を解消するために成されたもので、その目的は、少なくとも先端部分がほぼ水平に延びる配管からマニホールドが分離するのを未然に防止することができるようにしたバグフィルター式集塵機を提供することにある。
【課題を解決するための手段】
【０００５】
上記の目的を達成するために本発明のバグフィルター式集塵機は、少なくとも先端部分がほぼ水平に延びる配管を介して圧縮空気源に連通するマニホールドからのパルスジェットをバグフィルターに作用させて堆積ダストの払落しを行うようにしたバグフィルター式集塵機において、前記配管の先端部分を、先端とは反対側へ向かって適宜の角度で下がり勾配状に傾斜した形状に構成し、前記マニホールドにおける前記配管との連結側である一端に、配管との連結側である一端部分が先端へ向かって配管の先端部分とほぼ対向する角度で下がり勾配状に傾斜した形状を成しかつ前記配管の先端部分を挿入可能な内径を有する管状部品を、一体的に設けたことを特徴とする。
【０００６】
このように構成したものは、先端部分が先端とは反対側へ向かって適宜の角度で下がり勾配状に傾斜した形状になっていて先が尖った配管を、配管との連結側である一端部分が先端へ向かって配管の先端部分とほぼ対向する角度で下がり勾配状に傾斜した形状を成しかつ配管の先端部分を挿入可能な内径を有する管状部品に、配管の先端部分が管状部品の一端部分によって順次案内されるようにして挿入する。また、管状部品を配管の先端部分に沿って移動させるようにして、マニホールドにおける管状部品とは反対側を持ち上げながら、管状部品を配管から抜き出す。
【発明の効果】
【０００７】
以上の説明から明らかなように本発明は、少なくとも先端部分がほぼ水平に延びる配管を介して圧縮空気源に連通するマニホールドからのパルスジェットをバグフィルターに作用させて堆積ダストの払落しを行うようにしたバグフィルター式集塵機において、
前記配管の先端部分を、先端とは反対側へ向かって適宜の角度で下がり勾配状に傾斜した形状に構成し、前記マニホールドにおける前記配管との連結側である一端に、配管との連結側である一端部分が先端へ向かって配管の先端部分とほぼ対向する角度で下がり勾配状に傾斜した形状を成しかつ前記配管の先端部分を挿入可能な内径を有する管状部品を、一体的に設けたから、マニホールドが配管から分離するのを未然に防止することができるなどの優れた実用的効果を奏する。
【発明を実施するため最良の形態】
【０００８】
以下、本発明を適用したバグフィルター式集塵機の最良の形態について図１〜図3に基づき詳細に説明する。本バグフィルター式集塵機は、図２に示すように、圧縮空気貯蔵タンク（図示せず）に、ヘッドパイプ1、電磁開閉弁2および少なくとも先端部分がほぼ水平に延びる配管としてのＬ字状配管3を介して連通するマニホールド4からのパルスジェットをバグフィルター5に作用させて堆積ダストの払落しを行うように構成してある。
【０００９】
そして、前記Ｌ字状配管3と前記マニホールド4の連結箇所は、図１に示すように、前記Ｌ字状配管3の先端部分（右端部分）を、先端とは反対側（左側）へ向かって適宜の角度で下がり勾配状に傾斜した形状に構成し、前記マニホールド4における前記Ｌ字状配管3との連結側である一端（左端）に、Ｌ字状配管3との連結側である一端部分（左端部分）が先端へ向かってＬ字状配管3の先端部分とほぼ対向する角度で下がり勾配状に傾斜した形状を成しかつ前記Ｌ字状配管3の先端部分を挿入可能な内径を有する管状部品６を、一体的に設けてある。
また、前記マニホールド4の右端は、図２に示すように、前記バグフィルター式集塵機のキャビネット7の内側面にブラケット８を介して着脱可能にボルト締めしてある。
【００１０】
このように構成したものは、図３に示すように、先端部分が先端とは反対側へ向かって適宜の角度で下がり勾配状に傾斜した形状になっていて先が尖ったＬ字状配管3を、Ｌ字状配管３との連結側である一端部分が先端へ向かってＬ字状配管3の先端部分とほぼ対向する角度で下がり勾配状に傾斜した形状を成しかつＬ字状配管3の先端部分を挿入可能な内径を有する管状部品6に、Ｌ字状配管3の先端部分が管状部品6の一端部分によって順次案内されるようにして挿入する。また、管状部品6をＬ字状配管3の先端部分に沿って移動させるようにして、マニホールド4における管状部品6とは反対側を持ち上げながら、管状部品6をＬ字状配管３から抜き出す。
【００１１】
なお、Ｌ字状配管3の先端部分を、先端とは反対側へ向かって適宜の角度で下がり勾配状に傾斜した形状に構成し、さらに、管状部品６におけるＬ字状配管3との連結側である一端部分を、先端へ向かってＬ字状配管3の先端部分とほぼ対向する角度で下がり勾配状に傾斜した形状に構成することにより、マニホールド4をＬ字状配管3に対して容易に取付け・取外しをすることができる。
【００１２】
さらになお、前記Ｌ字状配管２および前記管状部品６の各先端部を、適宜の長さで垂直方向に切断し除去して、図４に示すように、Ｌ字状配管２２および管状部品２６の形態にすることにより、マニホールド4をＬ字状配管3に対してより短い距離を移動させて取付け・取外しをすることができる。
【図面の簡単な説明】
【００１３】
【図１】本発明の主要部の最良の形態を示す断面図である。
【図２】本発明を適用したバグフィルター式集塵機の概略図である。
【図３】マニホールドをＬ字状配管対して取付け・取外しをする際の作動説明図である。
【図４】本発明の主要部の一実施例を示す断面図である。
【符号の説明】
【００１４】
３    Ｌ字状配管
４    マニホールド
５    管状部品
【図１】
2006305400.tif 000003
【図２】
2006305400.tif 000004
【図３】
2006305400.tif 000005
【図４】
2006305400.tif 000006